【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
信号線と、
走査線と、
画素と、を有し、
前記画素は、第１のトランジスタ、第１の容量素子、第２の容量素子、第２のトランジスタ、及び電荷供給端子を有し、
前記第１のトランジスタは、ゲートが前記走査線に電気的に接続され、ソース及びドレインの一方が前記信号線に電気的に接続され、
前記第１の容量素子は、第１の電極が前記第１のトランジスタのソース及びドレインの他方に電気的に接続され、
前記第２の容量素子は、第１の電極が前記第１の容量素子の第１の電極に電気的に接続され、
前記第２のトランジスタは、ゲートが前記走査線に電気的に接続され、ソース及びドレインの一方が前記第１の容量素子の第２の電極に電気的に接続され、ソース及びドレインの他方が前記電荷供給端子に電気的に接続される表示装置。
【請求項２】
信号線と、
第１の走査線と、
第２の走査線と、
画素と、を有し、
前記画素は、第１のトランジスタ、第１の容量素子、第２の容量素子、第２のトランジスタ、及び電荷供給端子と、を有し、
前記第１のトランジスタは、ゲートが前記第１の走査線に電気的に接続され、ソース及びドレインの一方が前記信号線に電気的に接続され、
前記第１の容量素子は、第１の電極が前記第１のトランジスタのソース及びドレインの他方に電気的に接続され、
前記第２の容量素子は、第１の電極が前記第１の容量素子の前記第１の電極に電気的に接続され、
前記第２のトランジスタは、ゲートが前記第２の走査線に電気的に接続され、ソース及びドレインの一方が前記第１の容量素子の第２の電極に電気的に接続され、前記ソース及び前記ドレインの他方が前記電荷供給端子に電気的に接続される表示装置。
【請求項３】
画素部と、
信号線と、
走査線と、
前記走査線に電気的に接続された走査線駆動回路と、
前記信号線に電気的に接続された信号線駆動回路と、
前記走査線駆動回路及び前記信号線駆動回路に電気的に接続され、前記走査線駆動回路及び前記信号線駆動回路に制御信号を出力する制御回路と、を有し、
前記画素部は、第１のトランジスタ、第１の容量素子、第２の容量素子、第２のトランジスタ、及び電荷供給端子を有する複数の画素を備え、
前記第１のトランジスタは、ゲートが前記走査線に電気的に接続され、ソース及びドレインの一方が前記信号線に電気的に接続され、
前記第１の容量素子は、第１の電極が前記第１のトランジスタのソース及びドレインの他方に電気的に接続され、
前記第２の容量素子は、第１の電極が前記第１の容量素子の前記第１の電極に電気的に接続され、
前記第２のトランジスタは、ゲートが前記走査線に電気的に接続され、ソース及びドレインの一方が前記第１の容量素子の第２の電極に電気的に接続され、ソース及びドレインの他方が前記電荷供給端子に電気的に接続される表示装置。
【請求項４】
画素部と、
信号線と、
走査線と、
前記走査線に電気的に接続された走査線駆動回路と、
前記信号線に電気的に接続された信号線駆動回路と、
前記走査線駆動回路及び前記信号線駆動回路に電気的に接続され、前記走査線駆動回路及び前記信号線駆動回路に制御信号を出力する制御回路と、を有し、
前記画素部は、第１のトランジスタ、第１の容量素子、及び第２の容量素子を有する複数の画素と、第２のトランジスタと、電荷供給端子と、を備え、
前記第１のトランジスタは、ゲートが前記走査線に電気的に接続され、ソース及びドレインの一方が前記信号線に電気的に接続され、
前記第１の容量素子は、第１の電極が前記第１のトランジスタのソース及びドレインの他方に電気的に接続され、
前記第２の容量素子は、第１の電極が前記第１の容量素子の前記第１の電極に電気的に接続され、
前記第２のトランジスタは、ゲートが前記走査線に電気的に接続され、ソース及びドレインの一方が前記複数の画素における前記１の容量素子の第２の電極に電気的に接続され、ソース及びドレインの他方が前記電荷供給端子に電気的に接続される表示装置。
【請求項５】
信号線と、
電源線と、
走査線と、
画素と、を有し、
前記画素は、第１のトランジスタ、容量素子、第２のトランジスタ、電荷供給端子、第３のトランジスタ、及び発光素子を有し、
前記第１のトランジスタは、ゲートが前記走査線に電気的に接続され、ソース及びドレインの一方が前記信号線に電気的に接続され、
前記容量素子は、第１の電極が前記第１のトランジスタのソース及びドレインの他方に電気的に接続され、
前記第２のトランジスタは、ゲートが前記第１のトランジスタのソース及びドレインの他方に電気的に接続され、ソース及びドレインの一方が前記電源線に電気的に接続され、
前記発光素子は、第１の電極が前記第２のトランジスタの前記ソース及びドレインの他方に電気的に接続され、
前記第３のトランジスタは、ゲートが前記走査線に電気的に接続され、ソース及びドレインの一方が前記容量素子の第２の電極に電気的に接続され、ソース及びドレインの他方が前記電荷供給端子に電気的に接続される表示装置。
【請求項６】
画素部と、
信号線と、
電源線と、
走査線と、
前記走査線に電気的に接続された走査線駆動回路と、
前記信号線及び前記電源線に電気的に接続された信号線駆動回路と、
前記走査線駆動回路及び前記信号線駆動回路に電気的に接続され、前記走査線駆動回路及び前記信号線駆動回路に制御信号を出力する制御回路と、を有し、
前記画素部は、第１のトランジスタ、容量素子、第２のトランジスタ、発光素子、第３のトランジスタ、及び電荷供給端子を有する複数の画素を備え、
前記第１のトランジスタは、ゲートが前記走査線に電気的に接続され、ソース及びドレインの一方が前記信号線に電気的に接続され、
前記容量素子は、第１の電極が前記第１のトランジスタの前記ソース及びドレインの他方に電気的に接続され、
前記第２のトランジスタは、ゲートが前記第１のトランジスタのソース及びドレインの他方に電気的に接続され、ソース及びドレインの一方が前記電源線に電気的に接続され、
前記発光素子は、第１の電極が前記第２のトランジスタのソース及びドレインの他方に電気的に接続され、
前記第３のトランジスタは、ゲートが前記走査線に電気的に接続され、ソース及びドレインの一方が前記容量素子の第２の電極に電気的に接続され、ソース及びドレインの他方が電荷供給端子に電気的に接続される表示装置。
【請求項７】
画素部と、
信号線と、
電源線と、
走査線と、
前記走査線に電気的に接続された走査線駆動回路と、
前記信号線及び前記電源線に電気的に接続された信号線駆動回路と、
前記走査線駆動回路及び前記信号線駆動回路に電気的に接続され、前記走査線駆動回路及び前記信号線駆動回路に制御信号を出力する制御回路と、を有し、
前記画素部は、第１のトランジスタ、容量素子、第２のトランジスタ、及び発光素子を有する複数の画素と、第３のトランジスタと、電荷供給端子と、を備え、
前記第１のトランジスタは、ゲートが前記走査線に電気的に接続され、ソース及びドレインの一方が前記信号線に電気的に接続され、
前記容量素子は、第１の電極が前記第１のトランジスタの前記ソース及びドレインの他方に電気的に接続され、
前記第２のトランジスタは、ゲートが前記第１のトランジスタのソース及びドレインの他方に電気的に接続され、ソース及びドレインの一方が前記電源線に電気的に接続され、
前記発光素子は、第１の電極が前記第２のトランジスタのソース及びドレインの他方に電気的に接続され、
前記第３のトランジスタは、ゲートが前記走査線に電気的に接続され、ソース及びドレインの一方が前記複数の画素における容量素子の第２の電極に電気的に接続され、ソース及びドレインの他方が電荷供給端子に電気的に接続される表示装置。
【請求項８】
請求項１乃至請求項７のいずれか一項に記載の表示装置を表示部に有する電子機器。